(57)【要約】【課題】光記録媒体に記録されている情報を読み出す時には必ず各種調整処理を行って適切な状態で情報を読み出すとともに、光記録媒体の再生指示を受けてから情報を出力するまでの時間を短縮することができる光記録媒体再生装置およびセットアップ方法を得ること。【解決手段】システム制御部９は、再生処理部７にディスク１から音データを読み出すための初期セットアップ処理を実行させた後に再生処理を実行させ、ショックプルーフメモリ６にデジタルオーディオデータが蓄積されると、システム制御部９は、ディスク１からの音データの読み出しを中断させて自動調整処理を再生処理部７に実行させ、自動調整処理が終了した後は、実行した自動調整処理によって取得した調整値を用いてディスク１から音データの読み出しを再開する。【選択図】        図１
2005276350.tif 000002
【特許請求の範囲】
【請求項１】
光記録媒体に記録されている音データを再生する光記録媒体再生装置において、
前記光記録媒体に記憶されている音データを読み出す光ピックアップと、
この光ピックアップによって前記光記録媒体から読み出された音データに復調処理を施したデジタルオーディオ信号を蓄積する記憶手段と、
この記憶手段から前記デジタルオーディオ信号を出力する速度よりも早い速度で前記音データからデジタルオーディオ信号を生成しかつ記憶手段から前記デジタルオーディオ信号を出力する再生処理を実行する再生処理手段と、
再生指示が入力されると、初期セットアップ処理を前記再生処理手段に実行させた後に前記再生処理を実行させ、前記記憶手段に所定の量のデジタルオーディオ信号が蓄積されると、デジタルオーディオ信号の生成を中断させるとともに前記再生処理手段に自動調整処理を実行させ、この自動調整処理が終了すると前記デジタルオーディオ信号の中断を解除して前記再生処理を再開させるシステム制御手段と、
を備えることを特徴とする光記録媒体再生装置。
【請求項２】
前記システム制御手段は、
前記再生処理手段が前記自動調整処理を実行した時に取得した調整値を記憶する調整値記憶手段と、
前記記憶手段に記憶されているデジタルオーディオ信号の蓄積量を監視する監視手段と、
前記初期セットアップ処理、前記再生処理、および前記自動調整処理を前記再生処理手段に実行させるセットアップ処理手段と、
を備え、
前記セットアップ処理手段は、
前記初期セットアップ処理終了後の再生処理を実行する場合には前記調整値記憶手段に記憶されている調整値を用いて前記再生処理を前記再生処理手段に実行させ、前記自動調整処理終了後に前記再生処理のデジタルオーディオ信号の生成を再開する場合には、前記自動調整処理によって取得した調整値を用いて再生処理を実行させることを特徴とする請求項１に記載の光記録媒体再生装置。
【請求項３】
前記自動調整処理は、
前記光ピックアップの対物レンズの位置制御に関するサーボ制御信号を調整する処理および／または前記光ピックアップによって読み出された音データの信号を調整する処理とを含むことを特徴とする請求項１または２に記載の光記録媒体再生装置。
【請求項４】
前記サーボ制御信号を調整する処理は、
フォーカスオフセット調整、フォーカスバランス調整、フォーカス自動利得制御調整、フォーカスバイアス調整、フォーカスゲインアップ、トラッキングオフセット調整、トラッキングバランス調整、トラッキング自動利得調整、トラッキングゲインアップの少なくとも１つを含み、
前記音データの信号を調整する処理は、
ＲＦオフセット調整、ＲＦ自動利得調整、およびＲＦゲインアップ調整の少なくとも１つを含むことを特徴とする請求項３に記載の光記録媒体再生装置。
【請求項５】
レーザ光を用いて光記録媒体から音データを読み出し、読み出した音データに復調処理を施したデジタルオーディオ信号を蓄積する記憶部を備え、前記記憶部から前記デジタルオーディオ信号を出力する速度よりも早い速度で前記音データからデジタルオーディオ信号を生成しかつ記憶部から前記デジタルオーディオ信号を出力する再生動作を行う光記録媒体再生装置のセットアップ方法であって、
再生指示が入力されると、初期セットアップ処理を行うセットアップ処理ステップと、
この初期セットアップ処理後、前記再生動作を実行する再生処理ステップと、
この再生処理ステップによって前記記憶部に所定の量のデジタルオーディオ信号が蓄積されると、前記再生動作におけるデジタルオーディオ信号の生成動作を中断させるとともに、装置各部の自動調整処理を実行する調整処理ステップと、
この自動調整処理が終了すると、前記中断を解除して前記再生動作を再開させる再生処理再開ステップと、
を備えることを特徴とする光記録媒体再生装置のセットアップ方法。
【請求項６】
レーザ光を用いて光記録媒体から音データを読み出し、読み出した音データに復調処理を施したデジタルオーディオ信号を蓄積する記憶部を備え、前記記憶部から前記デジタルオーディオ信号を出力する速度よりも早い速度で前記音データからデジタルオーディオ信号を生成しかつ記憶部から前記デジタルオーディオ信号を出力する再生動作を行う光記録媒体再生装置のセットアッププログラムであって、
再生指示が入力されると、初期セットアップ処理を行うセットアップ処理ステップと、
この初期セットアップ処理後、前記再生動作を実行する再生処理ステップと、
この再生処理ステップによって前記記憶部に所定の量のデジタルオーディオ信号が蓄積されると、前記再生動作におけるデジタルオーディオ信号の生成動作を中断させるとともに、装置各部の自動調整処理を実行する調整処理ステップと、
この自動調整処理が終了すると、前記中断を解除して前記再生動作を再開させる再生処理再開ステップと、
を備えることを特徴とする光記録媒体再生装置のセットアッププログラム。
【発明の詳細な説明】
【技術分野】
【０００１】
この発明は、光記録媒体にレーザ光を照射して光記録媒体に記録されている情報を再生する光記録媒体再生装置およびセットアップ方法に関するものである。
【背景技術】
【０００２】
レーザーディスク、コンパクトディスク、ＤＶＤ（Digital Versatile Disc）などの光記録媒体（以下、ディスクとする）に記録されている情報を光記録媒体再生装置によって再生する場合、ディスクから正確に情報を読み取るために、ディスクの回転速度、光ピックアップとディスクのトラックとの位置、光ピックアップ内のレンズのフォーカス等を調整して、光ピックアップからディスクに照射するレーザ光のスポットを最適にする必要がある。光記録媒体再生装置では、ディスクの回転速度や光ピックアップの位置、光ピックアップ内のレンズの位置の制御はサーボ制御によって実現されている。そのため、光記録媒体再生装置がディスクを再生する際には、再生するディスクに対してサーボ制御に用いる信号（トラッキングエラー信号およびフォーカスエラー信号）を適切な値に調整する処理を実行する。具体的には、フォーカス系の調整（フォーカスオフセット調整、フォーカスバランス調整、フォーカス自動利得制御（ＡＧＣ：Automatic Gain Control）調整、フォーカスバイアス調整、フォーカスゲインアップ）、トラッキング系の調整（トラッキングオフセット調整、トラッキングバランス調整、トラッキングＡＧＣ調整、トラッキングゲインアップ）、ＲＦ系の調整（ＲＦオフセット調整、ＲＦＡＧＣ調整、ＲＦゲインアップ）など実行して、その後ディスクから情報を読み出す。すなわち、ディスクを再生するセットアップ処理として、各種調整処理（自動調整処理）を行うようにしている。
【０００３】
しかしながら、たとえば、ディスクに記録されている情報が音データの場合、再生指示を受けてから各種調整処理を含むセットアップ処理を行った後に音データを読み出して出力すると、視聴者が再生指示を行ってから実際に音が出力されるまでに時間がかかってしまうという問題があった。
【０００４】
このような問題を改善するために、特許文献１には、フォーカスサーボの調整やトラッキングサーボの利得調整において、レンズ位置のバラツキに起因する調整ずれの少ない、安定した利得調整を行うとともに、利得調整によって得られた利得調整値を記憶しておき、ディスクが取り外されない限りは、リプレイ（再度再生）時には記憶している利得調整値を利用して再生を行う自動利得調整装置に関する技術が開示されている。
【０００５】
【特許文献１】特開平７−１４１６６６号公報
【発明の開示】
【発明が解決しようとする課題】
【０００６】
上記従来技術の自動利得調整装置を光記録媒体再生装置に備えた場合、光記録媒体再生装置にディスクが挿入されて再生を行う前に自動調整を行った後は、ディスクが取り外されない限り、リプレイ時には記憶している自動調整値を用いて再生を行うようにしているので、リプレイの指示を受けてから音を出力するまでの時間を短縮することができる。
【０００７】
しかしながら、上記従来技術では、ディスクが挿入されたときに１度だけしか自動調整を行わないため、ディスクが挿入されてからイジェクト（離脱）されるまでの間に発生したレンズの汚れや経年変化などの状態変化には対応することができないという問題が一例として挙げられる。すなわち、ディスクが挿入されたときに行われた自動調整値を用いてリプレイするようにしているので、自動調整後に状態変化があった場合には、適切な調整が行われていない状態でディスクから情報を読み出すことなり、正確にディスクから情報を読み出すことができない場合がある。そのため、リプレイ時に情報を読み出すことができない場合には再度自動調整を行わなければならず、リプレイの指示を受けてから音を出力するまでに時間がかかってしまう。
【０００８】
本発明は、上記に鑑みてなされたものであって、光記録媒体に記録されている情報を読み出す時には必ず自動調整処理を行って適切な状態で情報を読み出すとともに、光記録媒体の再生指示を受けてから情報を出力するまでの時間を短縮することができる光記録媒体再生装置およびセットアップ方法を得ることを目的としている。
【課題を解決するための手段】
【０００９】
請求項１に記載の発明は、光記録媒体に記録されている音データを再生する光記録媒体再生装置において、前記光記録媒体に記憶されている音データを読み出す光ピックアップと、この光ピックアップによって前記光記録媒体から読み出された音データに復調処理を施したデジタルオーディオ信号を蓄積する記憶手段と、この記憶手段から前記デジタルオーディオ信号を出力する速度よりも早い速度で前記音データからデジタルオーディオ信号を生成しかつ記憶手段から前記デジタルオーディオ信号を出力する再生処理を実行する再生処理手段と、再生指示が入力されると、初期セットアップ処理を前記再生処理手段に実行させた後に前記再生処理を実行させ、前記記憶手段に所定の量のデジタルオーディオ信号が蓄積されると、デジタルオーディオ信号の生成を中断させるとともに前記再生処理手段に自動調整処理を実行させ、この自動調整処理が終了すると前記デジタルオーディオ信号の中断を解除して前記再生処理を再開させるシステム制御手段と、を備えることを特徴とする。
【００１０】
また、請求項５に記載の発明は、レーザ光を用いて光記録媒体から音データを読み出し、読み出した音データに復調処理を施したデジタルオーディオ信号を蓄積する記憶部を備え、前記記憶部から前記デジタルオーディオ信号を出力する速度よりも早い速度で前記音データからデジタルオーディオ信号を生成しかつ記憶部から前記デジタルオーディオ信号を出力する再生動作を行う光記録媒体再生装置のセットアップ方法であって、再生指示が入力されると、初期セットアップ処理を行うセットアップ処理ステップと、この初期セットアップ処理後、前記再生動作を実行する再生処理ステップと、この再生処理ステップによって前記記憶部に所定の量のデジタルオーディオ信号が蓄積されると、前記再生動作におけるデジタルオーディオ信号の生成動作を中断させるとともに、装置各部の自動調整処理を実行する調整処理ステップと、この自動調整処理が終了すると、前記中断を解除して前記再生動作を再開させる再生処理再開ステップと、を備えることを特徴とする。
【００１１】
また、請求項６に記載の発明は、レーザ光を用いて光記録媒体から音データを読み出し、読み出した音データに復調処理を施したデジタルオーディオ信号を蓄積する記憶部を備え、前記記憶部から前記デジタルオーディオ信号を出力する速度よりも早い速度で前記音データからデジタルオーディオ信号を生成しかつ記憶部から前記デジタルオーディオ信号を出力する再生動作を行う光記録媒体再生装置のセットアッププログラムであって、再生指示が入力されると、初期セットアップ処理を行うセットアップ処理ステップと、この初期セットアップ処理後、前記再生動作を実行する再生処理ステップと、この再生処理ステップによって前記記憶部に所定の量のデジタルオーディオ信号が蓄積されると、前記再生動作におけるデジタルオーディオ信号の生成動作を中断させるとともに、装置各部の自動調整処理を実行する調整処理ステップと、この自動調整処理が終了すると、前記中断を解除して前記再生動作を再開させる再生処理再開ステップと、を備えることを特徴とする。
【発明を実施するための最良の形態】
【００１２】
以下に添付図面を参照して、本発明にかかる光記録媒体再生装置、セットアップ方法、およびセットアッププログラムの好適な実施の形態を詳細に説明する。
【００１３】
［概要および特徴］
一般的に、音データが情報として記録されているディスクを再生する光記録媒体再生装置には、音飛びを防止するためにショックプルーフメモリが備えられていることが多い。ショックプルーフメモリを有する光記録媒体装置は、音データを再生する速度よりも早い速度、たとえば、２倍の速度でディスクから音データを読み出して、読み出した音データに所定の処理を施して生成したデジタルオーディオ信号をショックプルーフメモリに蓄積しておき、ショックプルーフメモリに蓄積したデジタルオーディオ信号を出力する。すなわち、ディスクから音データを先読みして、現在出力しているデジタルオーディオ信号から所定の時間分のデジタルオーディオ信号をショックプルーフメモリに蓄積しておき、振動などによってディスクからの読み出しにエラーが発生した場合にも、ショックプルーフメモリに蓄積されているデジタルオーディオ信号を出力することで、音飛びを防止している。
【００１４】
この発明は、ショックプルーフメモリに所定の時間分のデジタルオーディオ信号が蓄積されていることに着目して、再生指示を受けると再生に必要な最低限の初期セットアップ処理を行って再生処理を実行し、ショックプルーフメモリにデジタルオーディオ信号が蓄積された後に、ディスクからの音データの読み出しを中断して、各種調整処理（フォーカスオフセット調整、フォーカスバランス調整、フォーカス自動利得制御調整、フォーカスバイアス調整、フォーカスゲインアップ、トラッキングオフセット調整、トラッキングバランス調整、トラッキング自動利得調整、トラッキングゲインアップ、ＲＦオフセット調整、ＲＦ自動利得調整、ＲＦゲインアップ調整などの自動調整処理）を実行するものである。
【００１５】
すなわち、この発明は、ショックプルーフメモリに所定の量のデジタルオーディオ信号が蓄積されるまでは、前回再生処理を実行した時の調整値を用いてディスクから音データを読み出して、ショックプルーフメモリに所定の量のデジタルオーディオ信号が蓄積された後に各種調整処理を実行して、各種調整処理が終了した後は各種調整処理によって得られた調整値によってディスクから音データを読み出すようにしているので、再生指示を受けてから音を出力するまでの時間を短縮するとともに、適切な調整値を用いてディスクから音データを読み出すことができる。
【実施例】
【００１６】
図１〜図５を参照してこの発明における実施例を説明する。図１は、この発明における実施例の光媒体再生装置の構成を示すブロック図である。この発明における実施例の光媒体再生装置は、ディスク１を回転させるスピンドルモータ２、ディスク１にレーザ光を照射してディスク１の情報を読み出す光ピックアップ３、光ピックアップ３をディスク１のトラッキング方向（ディスク１の直径方向）に駆動するキャリッジモータ４、光ピックアップ３によってディスク１から読み出された音データに基づいてデジタルオーディオ信号を生成して、生成したデジタルオーディオ信号を出力するとともに、光ピックアップ３内のフォーカスコイル３１およびトラッキングコイル３２と、キャリッジモータ４と、スピンドルモータ２をサーボ制御によって駆動する各種サーボ信号を生成する再生処理部７、再生処理部７によって生成された各種サーボ信号の電流を増幅してフォーカスコイル３１と、トラッキングコイル３２と、キャリッジモータ４と、スピンドルモータ２とを駆動する駆動信号を出力するドライバ回路５、再生処理部７によって生成されたデジタルオーディオ信号を一時格納するショックプルーフメモリ６（特許請求の範囲でいうところの記憶手段）、および光媒体再生装置を統括的に制御するシステム制御部９を備えている。
【００１７】
光ピックアップ３は、レーザ光の光源としての半導体レーザ（図示せず）、光学系の対物レンズ３３、液晶パネル（図示せず）、ディスク１からの反射光を検出する光検出器（図示せず）、フォーカスコイル３１、およびトラッキングコイル３２を有し、レーザ光を光源から発生し、発生したレーザ光を液晶パネル、対物レンズ３３などを介してディスク１に照射して、ディスク１からの反射光を光検出器によって検出して、検出した反射光を電気信号に変換して再生処理部７内のＲＦアンプ７１に出力する。
【００１８】
フォーカスコイル３１は、ドライバ回路５から入力されるフォーカス駆動信号よって対物レンズ３３を駆動して、ディスク１に照射するレーザ光の焦点を合わせる。トラッキングコイル３２は、ドライバ回路５から入力されるトラッキング駆動信号によって対物レンズ３３をディスク１のトラッキング方向に駆動する。
【００１９】
再生処理部７は、ＲＦアンプ７１、信号処理部７４、メモリ制御部７３、Ｄ／Ａコンバータ７５、ポストフィルタ７６、Ａ／Ｄコンバータ７７、サーボ制御部７８、およびインターフェース部７９を備えている。
【００２０】
ＲＦアンプ７１は、光ピックアップ３から入力される電気信号を演算・増幅するとともに、演算・増幅した信号からＲＦ信号、フォーカスエラー信号、トラッキングエラー信号を生成する。この生成したＲＦ信号を２値化し、２値化したＲＦ信号を信号処理部７４に出力する。また、この生成したフォーカスエラー信号およびトラッキングエラー信号をＡ／Ｄコンバータ７７に出力する。
【００２１】
信号処理部７４は、２値化されたＲＦ信号よりスピンドルモータ２の速度制御（ＣＬＶ：Constant Linear Velocity）のためのＣＬＶエラー信号を生成し、サーボ制御部７８に出力する。信号処理部７４は、２値化されたＲＦ信号に対してＥＦＭ復調処理を施し、復調信号にＣＩＲＣ（Cross Interleave Reed-Solomon Code）による誤り訂正復号処理などを施してデジタルオーディオ信号を生成して、生成したデジタルオーディオ信号をメモリ制御部７３に出力するとともに、メモリ制御部７３から入力されるデジタルオーディオ信号をＤ／Ａコンバータ７５に出力する。
【００２２】
メモリ制御部７３は、ショックプルーフメモリ６のアクセス制御の機能を備えており、信号処理部７４から入力されるデジタルオーディオ信号をショックプルーフメモリ６に記憶させるとともに、ショックプルーフメモリ６に記憶されているデジタルオーディオ信号を読み出して、読み出したデジタルオーディオ信号を信号処理部７４に出力する。
【００２３】
Ｄ／Ａコンバータ７５は、信号処理部７４から入力されるデジタルオーディオ信号をアナログのオーディオ信号に変換して、変換したアナログオーディオ信号をポストフィルタ７６に出力する。ポストフィルタ７６は、アナログのオーディオ信号からノイズ成分を除去して、可聴周波数帯域のオーディオ信号を出力する。
【００２４】
Ａ／Ｄコンバータ７７は、ＲＦアンプ７１から入力されるアナログのフォーカスエラー信号およびトラッキングエラー信号をデジタル値に変換してデジタルのフォーカスエラー信号およびトラッキングエラー信号をサーボ制御部７８に出力する。
【００２５】
サーボ制御部７８は、ＣＬＶエラー信号に基づいてスピンドルサーボ信号を生成する。サーボ制御部７８は、トラッキングエラー信号に基づいて、キャリッジモータ４を駆動するキャリッジサーボ信号、およびトラッキングコイル３２を駆動するトラッキングサーボ信号を生成する。サーボ制御部７８は、フォーカスエラー信号に基づいてフォーカスコイル３１を駆動するフォーカスサーボ信号を生成する。サーボ制御部７８は、スピンドルサーボ信号、キャリッジサーボ信号、トラッキングサーボ信号、およびフォーカスサーボ信号をドライバ回路５に出力する。
【００２６】
また、サーボ制御部７８は、各種調整処理の実行時には、フォーカスエラー信号やトラッキングエラー信号に外乱信号を重畳して、フォーカスコイル３１およびトラッキングコイル３２を駆動して、各種調整処理によって得られたそれぞれの調整値をインターフェース部７９を介してシステム制御部９に出力する。
【００２７】
図２は、図１に示したシステム制御部９の構成を示すブロック図である。システム制御部９は、ショックプルーフメモリ監視部９１と、セットアップ処理部９２と、調整値記憶部９３とを備えている。調整値記憶部９３は、各種調整処理を実行した時のそれぞれの調整値を記憶する。
【００２８】
ショックプルーフメモリ監視部９１は、インターフェース部７９を介してメモリ制御部７３にアクセスして、ショックプルーフメモリ６の使用状況、すなわちショックプルーフメモリ６に格納されているデジタルオーディオ信号の蓄積量を監視する。
【００２９】
セットアップ処理部９２は、光記録媒体再生装置にディスク１が挿入された場合、または再生指示を受けた場合、記憶部に記憶されている各種調整値をＲＦアンプ７１およびサーボ制御部７８に設定するとともに、スピンドルサーボ、キャリッジサーボ、トラッキングサーボ、およびフォーカスサーボのクローズをサーボ制御部７８に指示する。また、セットアップ処理部９２は、ショックプルーフメモリ監視部９１の監視結果に基づいて、各種調整処理の開始をサーボ制御部７８に通知する。
【００３０】
つぎに、図３のフローチャートを参照して、この発明におけるこの実施例の光記録媒体再生装置の動作を説明する。なお、調整値記憶部９３には、前回各種調整処理を実行したときに取得した調整値、または初期値が設定されているものとする。
【００３１】
光記録媒体再生装置にディスク１が挿入されたこと、またはディスク１の再生指示が入力されたことを検知すると、セットアップ処理部９２は、各種調整処理を行わない最低限の初期セットアップ処理（自動調整無しの初期セットアップ処理）を実行する（ステップＳ１００）。具体的には、セットアップ処理部９２は、調整値記憶部９３に記憶されている各種調整値を読み出して、読み出した各種調整値をＲＦアンプ７１およびサーボ制御部７８に設定するとともに、スピンドルサーボ、キャリッジサーボ、トラッキングサーボ、およびフォーカスサーボのクローズをサーボ制御部７８に指示する。サーボ制御部７８は、スピンドルサーボ、キャリッジサーボ、トラッキングサーボ、およびフォーカスサーボをクローズする。
【００３２】
自動調整なしの初期セットアップ処理が正常終了すると、セットアップ処理部９２は、再生処理部７の各構成部分を動作させて、ディスク１に記録されている音データを読み出して、ショックプルーフメモリ６に格納するバッファリング動作を開始させる（ステップＳ１２０）。具体的には、セットアップ処理部９２は、再生処理部７の各構成部分に再生処理を指示する。これにより、サーボ制御部７８は、スピンドルサーボ信号、キャリッジサーボ信号、トラッキングサーボ信号およびフォーカスサーボ信号を出力して、ドライバ回路５を介してスピンドルモータ２を回転させるとともに、キャリッジモータ４によってディスク１の所定の位置に光ピックアップ３を移動させて、ディスク１に記録されている音データの読み出しを開始する。
【００３３】
ＲＦアンプ７１は光ピックアップ３から入力される信号からＲＦ信号を生成し、信号処理部７４は、ＲＦ信号にＥＦＭ復調処理を施して復調信号を生成し、復調信号にＣＩＲＣによる誤り訂正復号処理などを施してデジタルオーディオ信号を生成する。
【００３４】
生成されたデジタルオーディオ信号は、メモリ制御部７３によってショックプルーフメモリ６に格納されるとともに、ショックプルーフメモリ６から読み出されて、Ｄ／Ａコンバータ７５によってアナログのオーディオ信号に変換されて、ポストフィルタ７６によってノイズ成分が除去されて出力されて、視聴者が視聴可能な音出し開始となる。
【００３５】
サーボ制御部７８は、スピンドルモータ２の回転速度を、たとえば、デジタルオーディオ信号を出力する２倍の速度でディスク１から音データを読み出すように制御している。そのため、図４に示すように、ショックプルーフメモリ６には、自動調整なしの初期セットアップ処理が終了した後に音出しが開始されると、時間の経過とともにデジタルオーディオ信号が蓄積されていく。
【００３６】
ショックプルーフメモリ監視部９１は、インターフェース部７９を介してメモリ制御部７３にアクセスして、ショックプルーフメモリ６に格納されているデジタルオーディオ信号の蓄積量を監視する（ステップＳ１３０）。ショックプルーフメモリ６の格納領域内すべてにデジタルオーディオ信号が格納されたこと（ショックプルーフメモリ６がフルになったこと）を検知すると、ショックプルーフメモリ監視部９１は、ショックプルーフメモリ６がフルになったことをセットアップ処理部９２に通知する。
【００３７】
ショックプルーフメモリ６がフルになったことが通知されると、セットアップ処理部９２は、現在再生しているディスク１に対して調整処理を実行したか否かを判定する（ステップＳ１４０）。調整処理を実行したか否かは、たとえば、調整値記憶部９３に調整情報を示す調整実行フラグを記憶しておき、自動調整なしの初期セットアップ処理を実行した際に調整実行フラグをクリアし、調整処理を実行した後に調整フラグをセットするようにして、調整フラグの状態によって判定する。調整処理がすでに実行されている場合（フラグがセットされている場合）、セットアップ処理部９２は、すでにディスク１に対して調整処理が実行されているので処理を終了する。
【００３８】
調整処理が実行されていない場合（フラグがクリアされている場合）、セットアップ処理部９２は、インターフェース部７９を介してメモリ制御部７３に対してショックプルーフメモリ６にデジタルオーディオ信号を格納するバッファリング動作の中断を通知する（ステップＳ１５０）。
【００３９】
バッファリング動作の中断の通知を受けると、メモリ制御部７３は、信号処理部７４から入力されるデジタルオーディオ信号をショックプルーフメモリ６に格納する動作を停止して、ショックプルーフメモリ６に格納されているデジタルオーディオ信号を読み出す動作のみを継続する。すなわち、デジタルオーディオ信号の蓄積を中断し、ディスク１から先読みしてショックプルーフメモリ６に格納したデジタルオーディオ信号を読み出して音出しを継続する。
【００４０】
セットアップ処理部９２は、調整処理の開始をサーボ制御部７８に通知する。調整処理の開始の通知を受けるとサーボ制御部７８は、調整処理を実行する（ステップＳ１６０）。具体的には、サーボ制御部７８は、フォーカスオフセット調整、フォーカスバランス調整、フォーカスＡＧＣ調整、フォーカスバイアス調整、フォーカスゲインアップ、トラッキングオフセット調整、トラッキングバランス調整、トラッキングＡＧＣ調整、トラッキングゲインアップ、ＲＦオフセット調整、ＲＦＡＧＣ調整、ＲＦゲインアップなどの各種調整処理を実行する。これらの調整処理が終了すると、サーボ制御部７８は、調整処理によって取得したそれぞれの調整値をインターフェース部７９を介してセットアップ処理部９２に通知する。
【００４１】
セットアップ処理部９２は、調整処理が正常に終了したか否かを判定する（ステップＳ１７０）。調整処理が正常に終了した場合には、セットアップ処理部９２は、インターフェース部７９を介してメモリ制御部７３に対してショックプルーフメモリ６にデジタルオーディオ信号を格納するバッファリング動作の再開を通知する（ステップＳ１８０）。また、セットアップ処理部９２は、再生処理の再開をサーボ制御部７８に通知する。サーボ制御部７８は、スピンドルサーボ信号、キャリッジサーボ信号、トラッキングサーボ信号およびフォーカスサーボ信号を出力して、ドライバ回路５を介してスピンドルモータ２を回転させるとともに、キャリッジモータ４によってディスク１の読み出しを中断した位置（調整処理を実行する前のディスク１のトラック位置）に光ピックアップ３を移動させて、ディスク１に記録されている音データの読み出しを再開する。これにより、調整処理によって得られた調整値によって、光ピックアップ３はディスク１から音データを読み出し、ＲＦアンプ７１は光ピックアップ３から入力される信号からＲＦ信号を生成し、信号処理部７４は、ＲＦ信号にＥＦＭ復調処理を施して復調信号を生成し、復調信号にＣＩＲＣによる誤り訂正復号処理などを施してデジタルオーディオ信号を生成する。
【００４２】
バッファリング動作の再開の通知を受けると、メモリ制御部７３は、信号処理部７４から入力されるデジタルオーディオ信号をショックプルーフメモリ６に格納するバッファリグ動作を再開する（ステップＳ１８０）。
【００４３】
一方、自動調整なしの初期セットアップ処理、または調整処理が正常に終了されなかった場合、セットアップ処理部９２は、各種調整処理を含むセットアップ処理をサーボ制御部７８に実行させる（ステップＳ１９０）。すなわち、スピンドルサーボ、キャリッジサーボ、トラッキングサーボ、およびフォーカスサーボをクローズした後に、調整処理を実行する。
【００４４】
図４は、この発明における光記録媒体再生装置の処理とショックプルーフメモリ６に格納されるデジタルオーディオ信号の時間関係を示す図であり、図５は、ディスク１の再生指示を受けて、自動調整ありのセットアップ処理を実行した後に再生処理を実行した場合のショックプルーフメモリ６に格納されるデジタルオーディオ信号の時間関係を示す図である。
【００４５】
図４に示すように、この発明における光媒体再生装置では、自動調整無しの初期セットアップ処理を実行した後に、ディスク１から音データの読み出しを開始して音出しを開始し、ショックプルーフメモリ６にデジタルオーディオ信号が蓄積された後に調整処理を行っているため、図５に示すように自動調整を音出し開始前に実行する場合（従来のセットアップ処理を行った場合）と比較して、自動調整の処理時間だけ音出しの開始が短縮されている。
【００４６】
このようにこの実施例では、セットアップ処理部９２が、ディスク１から音データを読み出すために必要な最低限の初期セットアップ処理を再生処理部７に実行させて、調整値記憶部９３に記憶されている調整値を用いて再生処理を実行させ、再生処理によってショックプルーフメモリ６にデジタルオーディオデータが蓄積されたことをショックプルーフメモリ監視部９１が検知すると、セットアップ処理部９２は、ディスク１からの音データの読み出しを中断させて各種調整処理を再生処理部７に実行させ、各種調整処理が終了した後は、実行した各種調整処理によって取得した調整値を用いてディスク１から音データの読み出しを再開する。これにより、再生指示を受けてから音を出力するまでの時間を短縮するとともに、適切な調整値を用いてディスクから音データを読み出すことができるという効果を奏する。
【００４７】
また、この実施例では、ショックプルーフメモリ６からデジタルオーディオ信号を出力している時、すなわち、音楽などの音を再生中に各種調整処理を実行するようにしているため、フォーカスコイル３１およびトラッキングコイル３２（アクチュエータ）によって発生するＡＧＣ調整時のノイズが、再生している音によって目立たなくなるという効果を奏する。
【００４８】
なお、この実施例では、ショックプルーフメモリ６にデジタルオーディオ信号が蓄積されると、各種調整処理を一度に実行するようにしたが、調整処理は複数回に分けて行うようにしてもよい。
【００４９】
また、この実施例では、光記録媒体再生装置にディスク１が挿入されたこと、またはディスク１の再生指示が入力されたことを検知すると、初期セットアップ処理を実行して再生処理を開始し、ショックプルーフメモリ６にデジタルオーディオ信号がフルに記憶されると各種調整処理を実行するようにしたが、光記録媒体再生装置にディスク１が挿入された場合には、従来どおりに各種調整処理を含むセットアップ処理を実行し、再生指示（再度再生）が入力されたことを検知した場合には、セットアップ処理を実行して再生処理を開始し、ショックプルーフメモリ６にデジタルオーディオ信号がフルに記憶されると各種調整処理を実行するようにしてもよい。
【００５０】
また、一般的には、ＣＰＵ（Central Processing unit）によって再生処理部７の制御されることが多い。ショックプルーフメモリ監視部９１およびセットアップ処理部９２によって実現される機能をソフトウエアによって実現して、再生処理部７を制御するＣＰＵに実行させるようにしてもよい。
【図面の簡単な説明】
【００５１】
【図１】この発明における光記録媒体再生装置の構成を示すブロック図である。
【図２】図１に示したシステム制御部の構成を示すブロック図である。
【図３】この発明における光記録媒体再生装置の動作を説明するためのフローチャートである。
【図４】この発明における光記録媒体再生装置の処理とショックプルーフメモリに格納されるデジタルオーディオ信号の時間関係を示す図である。
【図５】自動調整を音出し開始前に実行した場合の処理とショックプルーフメモリに格納されるデジタルオーディオ信号の時間関係を示す図である。
【符号の説明】
【００５２】
１  ディスク
２  スピンドルモータ
３  光ピックアップ
４  キャリッジモータ
５  ドライバ回路
６  ショックプルーフメモリ
７  再生処理部
９  システム制御部
３１  フォーカスコイル
３２  トラッキングコイル
３３  対物レンズ
９１  ショックプルーフメモリ監視部
９２  セットアップ処理部
９３  調整値記憶部
【図１】
2005276350.tif 000003
【図２】
2005276350.tif 000004
【図３】
2005276350.tif 000005
【図４】
2005276350.tif 000006
【図５】
2005276350.tif 000007